(57)【要約】【課題】利用者端末が情報表示装置からブラウザ情報を収集することのできない場合であっても、ブラウザ情報を必要とするコンテンツを利用者端末に出力させることができる、ブラウザ情報収集配信方法及びプログラム並びに該プログラムを記録した記録媒体の提供。【解決手段】情報表示装置であるインターネット放送装置１と利用者端末２との間に、インターネット放送装置１から各利用者端末２用のブラウザ情報を収集する情報変換サーバ３を介在させ、当該サーバ３を介して利用者端末２がＳＴ１−１として視聴要求することにより、利用者端末２において視聴可能とする、という特徴的構成手法の採用。【選択図】図２
2004078700.tif 000002
【特許請求の範囲】
【請求項１】
ブラウザ情報を必要とする情報表示装置のコンテンツを、ブラウザ情報を収集できない利用者端末にて視聴できるようにする方法であって、
前記情報表示装置と前記利用者端末との間に、当該情報表示装置から各利用者端末用のブラウザ情報を収集するサーバを介在させ、
当該サーバを介して前記利用者端末が視聴要求することにより、当該利用者端末において視聴可能とする、
ことを特徴とするブラウザ情報収集配信方法。
【請求項２】
前記方法は、
前記利用者端末に前記収集したブラウザ情報を送信することなく、前記介在させたサーバ上のメモリに保存しておき、
前記利用者端末がコンテンツを視聴するに際して、必ず前記介在させたサーバを経由して、当該サーバから前記情報表示装置に当該保存しておいたブラウザ情報を前記情報表示装置に送信することにより、当該利用者端末において視聴可能とする、
ことを特徴とする請求項１に記載のブラウザ情報収集配信方法。
【請求項３】
前記方法は、
前記介在させたサーバ上において、情報表示装置から収集したコンテンツ情報を記述しているメニューの中に前記収集したブラウザ情報を載せて、前記利用者端末に送信することにより、当該利用者端末がブラウザ情報を取得し、
前記介在させたサーバを介さず前記情報表示装置から直接視聴可能とする、
ことを特徴とする請求項１に記載のブラウザ情報収集配信方法。
【請求項４】
前記情報表示装置は、
インターネット放送装置を含む、
ことを特徴とする請求項１に記載のブラウザ情報収集配信方法。
【請求項５】
前記インターネット放送装置は、
外部からアクセス可能に記録されたコンテンツ情報をコンテンツ情報表示機能手段にて表示するとともに、外部からアクセス可能にブラウザ情報をブラウザ情報生成手段にて生成記録する、
ことを特徴とする請求項４に記載のブラウザ情報収集配信方法。
【請求項６】
前記利用者端末は、
まず、情報収集要求機能手段により、利用者によって入力された情報に基づいて、前記サーバが前記インターネット放送装置からコンテンツ情報及びブラウザ情報を収集するように、当該サーバに要求する収集要求ステップと、
次いで、当該サーバから送信されたコンテンツ情報をコンテンツ情報受信機能手段で受信するコンテンツ情報受信ステップと、
引続き、当該受信したコンテンツ情報をコンテンツ情報出力機能手段にて出力するコンテンツ情報出力ステップとを、
順次踏んで実施する、
ことを特徴とする請求項２、４又は５に記載のブラウザ情報収集配信方法。
【請求項７】
前記サーバは、
前記利用者端末の前記収集要求ステップによる要求に基づいて、当該利用者端末のＩＰアドレスと当該要求に基づく前記インターネット放送装置のＩＰアドレスとが、ブラウザ情報ＤＢ（データベースの略）に保存されているブラウザ情報と関連付けられているか否かを、ブラウザ情報送信機能手段により判断する関連付け判断ステップと、
当該関連付け判断ステップで関連付けられていると判断した場合には、前記要求に基づき前記インターネット放送装置に、前記コンテンツ情報表示機能手段及び前記ブラウザ情報生成機能手段を動作させるため、ブラウザ情報送信部にて前記ブラウザ情報ＤＢに保存されているブラウザ情報を送信するブラウザ情報送信ステップと、
前記利用者端末の収集要求ステップの要求に基づいて、前記インターネット放送装置の前記コンテンツ情報表示機能手段からコンテンツ情報をコンテンツ情報収集機能手段にて収集するコンテンツ情報収集ステップと、
前記利用者端末の前記収集要求ステップの要求に基づいて、ブラウザ情報収集機能手段により前記インターネット放送装置の前記ブラウザ情報生成機能手段から新たなブラウザ情報を収集するブラウザ情報収集ステップと、
当該ブラウザ情報収集ステップで収集したブラウザ情報を前記利用者端末のＩＰアドレス及び前記インターネット放送装置のＩＰアドレスに関連付けて前記ブラウザ情報ＤＢに保存するブラウザ情報保存ステップと、
前記ブラウザ情報収集ステップで収集したコンテンツ情報をコンテンツ情報変換機能手段でもって、前記利用者端末に対応した形式に変換するコンテンツ情報変換ステップと、
当該コンテンツ情報変換ステップで変換されたコンテンツ情報を前記コンテンツ情報送信機能手段にて前記利用者端末に送信するコンテンツ情報送信ステップとを、それぞれ踏んで実施する、
ことを特徴とする請求項２、４、５又は６に記載のブラウザ情報収集配信方法。
【請求項８】
前記利用者端末は、
情報収集要求機能手段により、利用者によって入力された情報に基づいて前記サーバが前記インターネット放送装置からコンテンツ情報及びブラウザ情報を収集するように、当該サーバに要求する収集要求ステップと、
当該サーバから送信されたコンテンツ情報をコンテンツ情報受信機能手段でもって受信するコンテンツ情報受信ステップと、
当該コンテンツ情報受信ステップで受信したコンテンツ情報を、コンテンツ出力機能手段で出力するコンテンツ情報出力ステップと、
前記コンテンツ情報受信ステップで受信したコンテンツ情報からブラウザを抜き出し、ブラウザ情報受信機能手段でもって受信するブラウザ情報受信ステップと、
当該ブラウザ情報受信ステップで受信したブラウザ情報を、前記インターネット放送装置のＩＰアドレスと関連付けてブラウザ情報ＤＢに保存するブラウザ情報保存ステップと、
当該ブラウザ情報保存ステップで保存されているブラウザ情報をブラウザ情報送信機能手段を通し前記インターネット放送装置へ送信し直接コンテンツの要求を行う次のコンテンツの要求ステップとを、それぞれ踏んで実施する、
ことを特徴とする請求項３、４又は５に記載のブラウザ情報収集配信方法。
【請求項９】
前記サーバは、
前記利用者端末の収集要求ステップの要求を受けたコンテンツ情報収集機能手段で当該要求に基づいて、前記インターネット放送装置の前記コンテンツ情報表示機能手段に対して要求を行い、コンテンツ情報を収集するコンテンツ情報収集ステップと、
前記利用者端末の収集要求ステップの要求に基づいて、ブラウザ情報収集機能手段により、前記インターネット放送装置の前記ブラウザ情報生成機能手段に対し要求を行い、ブラウザ情報を収集するブラウザ情報収集ステップと、
当該ブラウザ情報収集ステップで収集されたコンテンツ情報をコンテンツ情報変換機能手段で前記利用者端末に対応した形式に変換し作成したメニューリストに付け加えるコンテンツ情報変換・ブラウザ情報付加ステップと、
当該コンテンツ情報変換・ブラウザ情報付加ステップで変換されブラウザ情報が付加されたコンテンツ情報を前記利用者端末に送信するコンテンツ情報送信ステップとを、それぞれ踏んで実施する、
ことを特徴とする請求項３、４、５又は８に記載のブラウザ情報収集配信方法。
【請求項１０】
コンピュータによって、ブラウザ情報を必要とする情報表示装置のコンテンツを、当該ブラウザ情報を収集できない利用者端末にて視聴を可能ならしめるプログラムであって、
インターネットに接続される通信網インターフェース、ＣＰＵ及びメモリにより構成された前記情報表示装置を、当該通信網インターフェースを介して外部からアクセス可能なように、自己の当該メモリに記録されたコンテンツ情報を表示するコンテンツ情報表示機能手段及びブラウザ情報を生成して自己の当該メモリに記録するブラウザ情報生成機能手段として機能させる、当該情報表示装置の当該メモリに記録される情報表示装置プログラム、
インターネットに接続される通信網インタフェース、ＣＰＵ、メモリ、入力手段、表示手段及びスピーカにより構成された前記利用者端末を、当該入力手段に利用者により入力された情報に基づいて、前記情報表示装置と当該利用者端末との間に介在された情報変換サーバが当該情報表示装置からコンテンツ情報及びブラウザ情報を収集するように、当該通信網インターフェースを介して当該情報変換サーバに要求を行う情報収集要求機能手段、当該情報収集要求機能手段により当該要求を受ける情報変換サーバのコンテンツ情報送信機能手段にて送信されたコンテンツ情報を、当該通信網インターフェースを介して受信し、自己の当該メモリに記録するコンテンツ情報受信機能手段、及び、当該コンテンツ情報受信機能手段により自己の当該メモリに記録されたコンテンツ情報を当該表示手段、当該スピーカの何れか又は双方にて出力するコンテンツ情報出力機能手段として機能させる、当該利用者端末の当該メモリに記録される利用者端末プログラム、
インターネットに接続される通信網インターフェース、ＣＰＵ及びメモリにより構成された前記情報変換サーバを、前記利用者端末の情報収集要求機能手段により行われ当該通信網インターフェースを介して受信する要求に基づいて、前記情報表示装置の前記コンテンツ情報表示機能手段からコンテンツ情報を当該通信網インターフェースを介して自己の当該メモリに収集するコンテンツ情報収集機能手段、当該コンテンツ情報収集機能手段により自己のメモリに収集されたコンテンツ情報を前記利用者端末に対応した形式に変換して自己の当該メモリに記録するコンテンツ情報変換機能手段、当該コンテンツ情報変換機能手段により変換され自己の当該メモリに記録されたコンテンツ情報を、当該通信網インターフェースを介して当該利用者端末に送信する前記コンテンツ情報送信機能手段、及び、前記情報収集要求機能手段により行われ当該通信網インターフェースを介して受信する要求に基づいて、前記ブラウザ情報生成機能手段からブラウザ情報を当該通信網インターフェースを介して収集するブラウザ情報収集機能手段として機能させる、当該情報変換サーバの当該メモリに記録される情報変換サーバプログラムにより構成された、
ことを特徴とするブラウザ情報収集配信プログラム。
【請求項１１】
前記プログラムは、
前記収集したブラウザ情報を前記利用者端末のＩＰアドレス及び前記情報表示装置のＩＰアドレスと関連付けて自己の前記メモリにより構成されるブラウザ情報ＤＢに保存をも行う前記ブラウザ情報収集機能手段、及び、前記要求を行った当該利用者端末のＩＰアドレスと、当該要求に基づく当該情報表示装置のＩＰアドレスとが、当該ブラウザ情報収集機能手段にて当該ブラウザ情報ＤＢに保存されたブラウザ情報と関連付けられているときに、当該要求に基づいて前記情報変換サーバがコンテンツ情報及びブラウザ情報を収集する情報表示装置に、当該ブラウザ情報収集機能手段にて当該ブラウザ情報ＤＢに保存されたブラウザ情報を前記通信網インターフェースを介して送信するブラウザ情報送信機能手段としても前記情報変換サーバを機能させる、前記情報変換サーバプログラムからも構成された、
ことを特徴とする請求項１０に記載のブラウザ情報収集配信プログラム。
【請求項１２】
前記プログラムは、
前記ブラウザ情報収集機能手段により収集されたブラウザ情報をも、前記通信網インターフェースを介して前記利用者端末に送信する前記コンテンツ情報送信機能手段として前記情報変換サーバを機能させる、前記情報変換サーバプログラム、
前記情報収集要求機能手段にて要求を行った情報変換サーバにて送信されるブラウザ情報を前記通信網インターフェースを介して受信し、受信したブラウザ情報を情報表示装置のＩＰアドレスと関連付けて自己の前記メモリから構成されるブラウザ情報ＤＢに保存するブラウザ情報受信保存機能手段、及び、要求に基づく情報表示装置のＩＰアドレスが当該ブラウザ情報受信保存機能手段でもって当該ブラウザ情報ＤＢに保存されたブラウザ情報と関連付けられている場合は、当該情報表示装置に、当該情報変換サーバを介在させず直接その要求先の情報表示装置に、当該ブラウザ情報ＤＢに保存されたブラウザ情報を当該通信網インターフェースを介して送信するブラウザ情報送信機能手段としても前記利用者端末を機能させる、前記利用者端末プログラムからも構成された、
ことを特徴とする請求項１０に記載のブラウザ情報収集配信プログラム。
【請求項１３】
請求項１０、１１又は１２に記載のプログラムを実録した、
ことを特徴とするブラウザ情報収集配信プログラムを記録した記録媒体。
【発明の詳細な説明】
【０００１】
【発明の属する技術分野】
本発明は、Ｗｏｒｌｄ　Ｗｉｄｅ　Ｗｅｂ（以下、「Ｗｅｂ」とする。）上から音楽や画像などのコンテンツを抽出して利用者端末で利用するシステム（以下、「コンテンツ利用システム」とする。）において、利用者端末がブラウザ情報を収集できない場合であっても、利用者端末にてコンテンツ出力を可能とする、ブラウザ情報収集配信方法及びプログラム並びに該プログラムを記録した記録媒体に関する。
【０００２】
【従来の技術】
従来、コンテンツ利用システムとして、情報表示装置がＷｅｂ上に存する利用者端末からの要求を受けて、コンテンツに関し利用者端末に利用者に対して出力させるためのコンテンツ情報を表示した後、利用者端末が情報表示装置からコンテンツ情報を収集し、その収集したコンテンツ情報から音楽、画像などのコンテンツを抽出して出力するシステムが知られている。
【０００３】
【発明が解決しようとする課題】
ところが、かかるシステムにあっては、情報表示装置がコンテンツ情報を表示するためにＣｏｏｋｉｅ（クッキー）などのブラウザ情報を必要とし、利用者端末が情報表示装置からブラウザ情報を収集できない場合には、利用者端末がコンテンツを出力できない、という問題があった。
【０００４】
ここにおいて、本発明の解決すべき主要な目的は以下の通りである。
本発明の第１の目的は、利用者端末が情報表示装置からブラウザ情報を収集することのできない場合であっても、利用者端末にコンテンツを出力させることができる、ブラウザ情報収集配信方法及びプログラム並びに該プログラムを記録した記録媒体を提供することにある。
【０００５】
本発明の第２の目的は、その際に、利用者端末などの機器に、必要以上に負荷をかけない、ブラウザ情報収集配信方法及びプログラム並びに該プログラムを記録した記録媒体を提供することにある。
【０００６】
本発明の他の目的は、明細書、図面、特に特許請求の範囲における各請求項の記載から自ずと明らかとなろう。
【０００７】
【課題を解決するための手段】
本発明方法は、上記課題の解決に当たり、情報表示装置と利用者端末との間に、当該情報表示装置から各利用者端末用のブラウザ情報を収集するサーバを介在させ、当該サーバを介して前記利用者端末が視聴要求することにより、ブラウザ情報を収集できない利用者端末にて、ブラウザ情報を必要とする情報表示装置のコンテンツを視聴できるように実施する、という特徴的構成手法を講じる。
【０００８】
本発明プログラムは、上記課題の解決に当たり、本発明方法を、システムを構成する各コンピュータにて実行させるためにプログラム化した特徴的構成手順を講じる。
【０００９】
本発明記録媒体は、上記課題の解決に当たり、本発明プログラム手順を記録媒体に実録した特徴的構成手続を講じる。
【００１０】
更に、具体的詳細に述べると、当該課題の解決では、本発明が次に列挙する新規な特徴的構成手法、手順又は手続を採用することにより、上記目的を達成するようになされる。
【００１１】
本発明方法の第１の特徴は、ブラウザ情報を必要とする情報表示装置のコンテンツを、ブラウザ情報を収集できない利用者端末にて視聴できるようにする方法であって、前記情報表示装置と前記利用者端末との間に、当該情報表示装置から各利用者端末用のブラウザ情報を収集するサーバを介在させ、当該サーバを介して前記利用者端末が視聴要求することにより、当該利用者端末において視聴可能としてなる、ブラウザ情報収集配信方法の構成採用にある。
【００１２】
本発明方法の第２の特徴は、上記本発明方法の第１の特徴における前記方法が、前記利用者端末に前記収集したブラウザ情報を送信することなく、前記介在させたサーバ上のメモリに保存しておき、前記利用者端末がコンテンツを視聴するに際して、必ず前記介在させたサーバを経由して、当該サーバから前記情報表示装置に当該保存しておいたブラウザ情報を前記情報表示装置に送信することにより、当該利用者端末において視聴可能としてなる、ブラウザ情報収集配信方法の構成採用にある。
【００１３】
本発明方法の第３の特徴は、上記本発明方法の第１の特徴における前記方法が、前記介在させたサーバ上において、情報表示装置から収集したコンテンツ情報を記述しているメニューの中に前記収集したブラウザ情報を載せて、前記利用者端末に送信することにより、当該利用者端末がブラウザ情報を取得し、前記介在させたサーバを介さず前記情報表示装置から直接視聴可能としてなる、ブラウザ情報収集配信方法の構成採用にある。
【００１４】
本発明方法の第４の特徴は、上記本発明方法の第１特徴における前記情報表示装置が、インターネット放送装置を含んでなる、ブラウザ情報収集配信方法の構成採用にある。
【００１５】
本発明方法の第５の特徴は、上記本発明方法の第４の特徴における前記インターネット放送装置が、外部からアクセス可能に記録されたコンテンツ情報をコンテンツ情報表示機能手段にて表示するとともに、外部からアクセス可能にブラウザ情報をブラウザ情報生成手段にて生成記録してなる、ブラウザ情報収集配信方法の構成採用にある。
【００１６】
本発明方法の第６の特徴は、上記本発明方法の第２、第４又は第５の特徴における前記利用者端末が、まず、情報収集要求機能手段により、利用者によって入力された情報に基づいて、前記サーバが前記インターネット放送装置からコンテンツ情報及びブラウザ情報を収集するように、当該サーバに要求する収集要求ステップと、次いで、当該サーバから送信されたコンテンツ情報をコンテンツ情報受信機能手段で受信するコンテンツ情報受信ステップと、引続き、当該受信したコンテンツ情報をコンテンツ情報出力機能手段にて出力するコンテンツ情報出力ステップとを、順次踏んで実施してなる、ブラウザ情報収集配信方法の構成採用にある。
【００１７】
本発明方法の第７の特徴は、上記本発明方法の第２、第４、第５又は第６の特徴における前記サーバが、前記利用者端末の前記収集要求ステップによる要求に基づいて、当該利用者端末のＩＰアドレスと当該要求に基づく前記インターネット放送装置のＩＰアドレスとが、ブラウザ情報ＤＢ（データベースの略）に保存されているブラウザ情報と関連付けられているか否かを、ブラウザ情報送信機能手段により判断する関連付け判断ステップと、当該関連付け判断ステップで関連付けられていると判断した場合には、前記要求に基づき前記インターネット放送装置に、前記コンテンツ情報表示機能手段及び前記ブラウザ情報生成機能手段を動作させるため、ブラウザ情報送信部にて前記ブラウザ情報ＤＢに保存されているブラウザ情報を送信するブラウザ情報送信ステップと、前記利用者端末の収集要求ステップの要求に基づいて、前記インターネット放送装置の前記コンテンツ情報表示機能手段からコンテンツ情報をコンテンツ情報収集機能手段にて収集するコンテンツ情報収集ステップと、前記利用者端末の前記収集要求ステップの要求に基づいて、ブラウザ情報収集機能手段により前記インターネット放送装置の前記ブラウザ情報生成機能手段から新たなブラウザ情報を収集するブラウザ情報収集ステップと、当該ブラウザ情報収集ステップで収集したブラウザ情報を前記利用者端末のＩＰアドレス及び前記インターネット放送装置のＩＰアドレスに関連付けて前記ブラウザ情報ＤＢに保存するブラウザ情報保存ステップと、前記ブラウザ情報収集ステップで収集したコンテンツ情報をコンテンツ情報変換機能手段でもって、前記利用者端末に対応した形式に変換するコンテンツ情報変換ステップと、当該コンテンツ情報変換ステップで変換されたコンテンツ情報を前記コンテンツ情報送信機能手段にて前記利用者端末に送信するコンテンツ情報送信ステップとを、それぞれ踏んで実施してなる、ブラウザ情報収集配信方法の構成採用にある。
【００１８】
本発明方法の第８の特徴は、上記本発明方法の第３、第４又は第５の特徴における前記利用者端末が、情報収集要求機能手段により、利用者によって入力された情報に基づいて前記サーバが前記インターネット放送装置からコンテンツ情報及びブラウザ情報を収集するように、当該サーバに要求する収集要求ステップと、当該サーバから送信されたコンテンツ情報をコンテンツ情報受信機能手段でもって受信するコンテンツ情報受信ステップと、当該コンテンツ情報受信ステップで受信したコンテンツ情報を、コンテンツ出力機能手段で出力するコンテンツ情報出力ステップと、前記コンテンツ情報受信ステップで受信したコンテンツ情報からブラウザを抜き出し、ブラウザ情報受信機能手段でもって受信するブラウザ情報受信ステップと、当該ブラウザ情報受信ステップで受信したブラウザ情報を、前記インターネット放送装置のＩＰアドレスと関連付けてブラウザ情報ＤＢに保存するブラウザ情報保存ステップと、当該ブラウザ情報保存ステップで保存されているブラウザ情報をブラウザ情報送信機能手段を通し前記インターネット放送装置へ送信し直接コンテンツの要求を行う次のコンテンツの要求ステップとを、それぞれ踏んで実施してなる、ブラウザ情報収集配信方法の構成採用にある。
【００１９】
本発明方法の第９の特徴は、上記本発明方法の第３、第４、第５又は第８の特徴における前記サーバが、前記利用者端末の収集要求ステップの要求を受けたコンテンツ情報収集機能手段で当該要求に基づいて、前記インターネット放送装置の前記コンテンツ情報表示機能手段に対して要求を行い、コンテンツ情報を収集するコンテンツ情報収集ステップと、前記利用者端末の収集要求ステップの要求に基づいて、ブラウザ情報収集機能手段により、前記インターネット放送装置の前記ブラウザ情報生成機能手段に対し要求を行い、ブラウザ情報を収集するブラウザ情報収集ステップと、当該ブラウザ情報収集ステップで収集されたコンテンツ情報をコンテンツ情報変換機能手段で前記利用者端末に対応した形式に変換し作成したメニューリストに付け加えるコンテンツ情報変換・ブラウザ情報付加ステップと、当該コンテンツ情報変換・ブラウザ情報付加ステップで変換されブラウザ情報が付加されたコンテンツ情報を前記利用者端末に送信するコンテンツ情報送信ステップとを、それぞれ踏んで実施してなる、ブラウザ情報収集配信方法の構成採用にある。
【００２０】
本発明プログラムの第１の特徴は、コンピュータによって、ブラウザ情報を必要とする情報表示装置のコンテンツを、当該ブラウザ情報を収集できない利用者端末にて視聴を可能ならしめるプログラムであって、インターネットに接続される通信網インターフェース、ＣＰＵ及びメモリにより構成された前記情報表示装置を、当該通信網インターフェースを介して外部からアクセス可能なように、自己の当該メモリに記録されたコンテンツ情報を表示するコンテンツ情報表示機能手段及びブラウザ情報を生成して自己の当該メモリに記録するブラウザ情報生成機能手段として機能させる、当該情報表示装置の当該メモリに記録される情報表示装置プログラム、インターネットに接続される通信網インターフェース、ＣＰＵ、メモリ、入力手段、表示手段及びスピーカにより構成された前記利用者端末を、当該入力手段に利用者により入力された情報に基づいて、前記情報表示装置と当該利用者端末との間に介在された情報変換サーバが当該情報表示装置からコンテンツ情報及びブラウザ情報を収集するように、当該通信網インターフェースを介して当該情報変換サーバに要求を行う情報収集要求機能手段、当該情報収集要求機能手段により当該要求を受ける情報変換サーバのコンテンツ情報送信機能手段にて送信されたコンテンツ情報を、当該通信網インターフェースを介して受信し、自己の当該メモリに記録するコンテンツ情報受信機能手段、及び、当該コンテンツ情報受信機能手段により自己の当該メモリに記録されたコンテンツ情報を当該表示手段、当該スピーカの何れか又は双方にて出力するコンテンツ情報出力機能手段として機能させる、当該利用者端末の当該メモリに記録される利用者端末プログラム、インターネットに接続される通信網インターフェース、ＣＰＵ及びメモリにより構成された前記情報変換サーバを、前記利用者端末の情報収集要求機能手段により行われ当該通信網インターフェースを介して受信する要求に基づいて、前記情報表示装置の前記コンテンツ情報表示機能手段からコンテンツ情報を当該通信網インターフェースを介して自己の当該メモリに収集するコンテンツ情報収集機能手段、当該コンテンツ情報収集機能手段により自己のメモリに収集されたコンテンツ情報を前記利用者端末に対応した形式に変換して自己の当該メモリに記録するコンテンツ情報変換機能手段、当該コンテンツ情報変換機能手段により変換され自己の当該メモリに記録されたコンテンツ情報を、当該通信網インターフェースを介して当該利用者端末に送信する前記コンテンツ情報送信機能手段、及び、前記情報収集要求機能手段により行われ当該通信網インターフェースを介して受信する要求に基づいて、前記ブラウザ情報生成機能手段からブラウザ情報を当該通信網インターフェースを介して収集するブラウザ情報収集機能手段として機能させる、当該情報変換サーバの当該メモリに記録される情報変換サーバプログラムにより構成されてなる、ブラウザ情報収集配信プログラムの構成採用にある。
【００２１】
本発明プログラムの第２の特徴は、上記本発明プログラムの第１の特徴における前記プログラムが、前記収集したブラウザ情報を前記利用者端末のＩＰアドレス及び前記情報表示装置のＩＰアドレスと関連付けて自己の前記メモリにより構成されるブラウザ情報ＤＢに保存をも行う前記ブラウザ情報収集機能手段、及び、前記要求を行った当該利用者端末のＩＰアドレスと、当該要求に基づく当該情報表示装置のＩＰアドレスとが、当該ブラウザ情報収集機能手段にて当該ブラウザ情報ＤＢに保存されたブラウザ情報と関連付けられているときに、当該要求に基づいて前記情報変換サーバがコンテンツ情報及びブラウザ情報を収集する情報表示装置に、当該ブラウザ情報収集機能手段にて当該ブラウザ情報ＤＢに保存されたブラウザ情報を前記通信網インターフェースを介して送信するブラウザ情報送信機能手段としても前記情報変換サーバを機能させる、前記情報変換サーバプログラムからも構成されてなる、ブラウザ情報収集配信プログラムの構成採用にある。
【００２２】
本発明プログラムの第３の特徴は、上記本発明プログラムの第１の特徴における前記プログラムが、前記ブラウザ情報収集機能手段により収集されたブラウザ情報をも、前記通信網インターフェースを介して前記利用者端末に送信する前記コンテンツ情報送信機能手段として前記情報変換サーバを機能させる、前記情報変換サーバプログラム、前記情報収集要求機能手段にて要求を行った情報変換サーバにて送信されるブラウザ情報を前記通信網インターフェースを介して受信し、受信したブラウザ情報を情報表示装置のＩＰアドレスと関連付けて自己の前記メモリから構成されるブラウザ情報ＤＢに保存するブラウザ情報受信保存機能手段、及び、要求に基づく情報表示装置のＩＰアドレスが当該ブラウザ情報受信保存機能手段でもって当該ブラウザ情報ＤＢに保存されたブラウザ情報と関連付けられている場合は、当該情報表示装置に、当該情報変換サーバを介在させず直接その要求先の情報表示装置に、当該ブラウザ情報ＤＢに保存されたブラウザ情報を当該通信網インターフェースを介して送信するブラウザ情報送信機能手段としても前記利用者端末を機能させる、前記利用者端末プログラムからも構成されてなる、ブラウザ情報収集配信プログラムの構成採用にある。
【００２３】
本発明記録媒体の第１の特徴は、上記本発明プログラムの第１、第２又は第３の特徴を有したプログラムを記録媒体に実録してなる、ブラウザ情報収集配信プログラムを記録した記録媒体の構成採用にある。
【００２４】
【発明の実施の形態】
以下、本発明の実施の形態を説明するに、第１に、その概要を説明し、第２に、図面を参照して、概要を具現化した方法例、プログラム例及び記録媒体例を説明する。なお、記録媒体例は、プログラム例を記録媒体に記録した媒体である。
【００２５】
（概要）
本発明の概要としては、ブラウザ情報を収集できない利用者端末が、ブラウザ情報を必要とするインターネット放送局（情報表示装置の一例）からコンテンツを視聴する際に、利用者端末とインターネット放送局との間にサーバ（後述の情報変換サーバに該当）を介在させ、そのサーバにおいてブラウザ情報を処理すると共に、第１ケースとして、その介在させたサーバ上において、各利用者端末毎に、取得したブラウザ情報を保存しておき、利用者端末がコンテンツを視聴する際には、そのサーバを経由するか、第２ケースとして、その介在させたサーバ上から利用者端末に対して、その取得したブラウザ情報を、コンテンツ情報を記載するメニューを載せて送信しておき、その利用者端末がコンテンツを視聴する際に、その介在させたサーバを経由することなく、コンテンツを視聴するかの何れかにより、もって、ブラウザ情報を取得する手段を備えない利用者端末であっても、コンテンツを利用することができるようになる、というものである。
【００２６】
（プログラムを格納するシステム）
本発明の一実施形態であるブラウザ情報収集配信プログラム（以下、「本発明プログラム」とする。）を格納するシステム（コンテンツ利用システム）の構成について、最初に説明する。
【００２７】
図１はコンテンツ利用システムのブロック図である。
コンテンツ利用システムは、情報表示装置の一例であるインターネット放送装置１と利用者端末２との間に、情報変換サーバ３を介在させ、その情報変換サーバ３にブラウザ情報を収集させるよう組まれたプログラムを格納することにより、システム構築される。
【００２８】
即ち、コンテンツ利用システムは、コンテンツに関し利用者に対して出力させるためのコンテンツ情報を表示すると共に、コンテンツ情報を表示するためのクッキーなどのブラウザ情報を生成する情報表示装置としてのインターネット放送装置１と、利用者端末２と、ブラウザ情報を収集しコンテンツ情報の形式を変換する情報変換サーバ３とで構築され、各構成要素の内部構成については次の通りである。
【００２９】
インターネット放送装置１は、コンピュータによって構成されており、ＣＰＵ１１と、ＣＰＵ１１を動作させるためのプログラムなどが記録されるメモリ１２と、インターネットＬに接続する通信網インターフェース１３と、ＣＰＵ１１、メモリ１２及び通信網インターフェース１３を互いに接続するバス１４とを具備する。
【００３０】
利用者端末２は、コンピュータによって構成されており、ＣＰＵ２１と、ＣＰＵ２１を動作させるためのプログラムなどが記録されるメモリ２２と、インターネットＬに接続する通信網インターフェース２３と、利用者からの種々の情報の入力を受ける入力手段２４と、映像を表示する表示手段２５と、音声を出力するスピーカ２６と、ＣＰＵ２１、メモリ２２、通信網インターフェース２３、入力装置２４、表示装置２５及びスピーカ２６を互いに接続するバス２７とを具備する。
【００３１】
情報変換サーバ３は、コンピュータによって構成されており、ＣＰＵ３１と、ＣＰＵ３１を動作させるためのプログラムなどが記録されるメモリ３２と、インターネットＬに接続する通信網インターフェース３３と、ＣＰＵ３１、メモリ３２及び通信網インターフェース３３を互いに接続するバス３４とを具備する。
【００３２】
（プログラム例１、記録媒体例１）
本発明プログラムにつきプログラム例１として、図１のメモリ１２、２２、３２に格納されるプログラムにより、それぞれ、インターネット放送装置１、利用者端末２、情報変換サーバ３の各内部構成要素と共に実現される機能を説明することにより、本発明の一実施形態であるブラウザ情報収集配信プログラムを説明する。
【００３３】
図２は、本発明の一実施形態であるブラウザ情報収集配信プログラムを格納し各ＣＰＵ１１、２１、３１において実行されることにより実現されるコンテンツ利用システムの機能ブロック図である。
【００３４】
インターネット放送装置１にて実現される機能手段は、次の通りである。
コンテンツ情報表示部１ａは、インターネットＬ及び通信網インターフェース１３を介して外部からアクセス可能なようにメモリ１２に記録されたコンテンツ情報を表示する機能手段であって、ＣＰＵ１１、本発明プログラムが記録されたメモリ１２及び通信網インターフェース１３により機能構成される。
【００３５】
ブラウザ情報生成部１ｂは、インターネットＬ及び通信網インターフェース１３を介して外部からアクセス可能なようにブラウザ情報を生成してメモリ１２に記録する機能手段であって、ＣＰＵ１１、本発明プログラムが記録されたメモリ１２及び通信網インターフェース１３により機能構成される。
【００３６】
利用者端末２にて実現される機能手段としては、次の通りである。
情報収集要求部２ａは、利用者によって入力手段２４を介して入力された情報に基づいて、情報変換サーバ３がインターネット放送装置１からコンテンツ情報及びブラウザ情報を収集するように、通信網インターフェース２３及びインターネットＬを介して情報変換サーバ３に要求を行う情報収集要求機能手段であって、ＣＰＵ２１、本発明プログラムが記録されたメモリ２２、通信網インターフェース２３及び入力手段２４により機能構成される。
【００３７】
なお、情報収集要求部２ａは、情報変換サーバ３にコンテンツ情報及びブラウザ情報を収集させるインターネット放送装置１のＩＰ（Ｉｎｔｅｒｎｅｔ　Ｐｒｏｔｏｃｏｌ）アドレスと、利用者端末２自身のＩＰアドレスとを付加して、情報変換サーバ３に要求を行うようにする。
【００３８】
コンテンツ情報受信部２ｂは、情報収集要求部２ａにより要求を行った情報変換サーバ３のコンテンツ情報送信部３ｃにて送信されるところのコンテンツ情報を、インターネットＬ及び通信網インターフェース２３を介して受信し、メモリ２２に記録する機能手段であって、ＣＰＵ２１、本発明プログラムが記録されたメモリ２２及び通信網インターフェース２３により機能構成される。
【００３９】
コンテンツ情報出力部２ｃは、コンテンツ情報受信部２ｂによりメモリ２２に記録されたコンテンツ情報を表示手段２５、スピーカ２６の何れか又は双方にて出力する機能手段であって、ＣＰＵ２１、本発明プログラムが記録されたメモリ２２、表示装置２５及びスピーカ２６により機能構成される。
なお、コンテンツ情報受信部２ｂ及びコンテンツ情報出力部２ｃにより受信出力手段を構成している。
【００４０】
情報変換サーバ３にて実現される機能手段としては、以下の通りである。
コンテンツ情報収集部３ａ、コンテンツ情報変換部３ｂ及びコンテンツ情報送信部３ｃは収集変換手段を構成し、詳しくは次の通りである。
【００４１】
コンテンツ情報収集部３ａは、利用者端末２（情報収集要求部２ａ）により行われインターネットＬ及び通信網インターフェース３３を介して受信する要求に基づいて、インターネット放送装置１のコンテンツ情報表示部１ａからコンテンツ情報をインターネットＬ及び通信網インターフェース３３を介してメモリ３２に収集する機能手段であって、ＣＰＵ３１、本発明プログラムが記録されたメモリ３２及び通信網インターフェース３３により機能構成される。
【００４２】
コンテンツ情報変換部３ｂは、コンテンツ情報収集部３ａによりメモリ３２に収集されたコンテンツ情報を利用者端末２に対応した形式に変換してメモリ３２に記録する機能手段であって、ＣＰＵ３１及び本発明プログラムが記録されたメモリ３２により機能構成される。
【００４３】
その変換につき一例を挙げるとすると、図３（ａ）に示すＨＴＭＬ（Ｈｙｐｅｒ　Ｔｅｘｔ　Ｍａｒｋ‐ｕｐ　Ｌａｎｇｕａｇｅ）形式のコンテンツ情報を、図３（ｂ）に示す利用者端末２に対応した形式のコンテンツ情報に変換する（なお、第５行は「＜ｉｔｅｍ　ｓｒｃ＝”／ｉｄｏｌ／ｓｏｎｇ１．ｍｐ３”＞」であり、「ｃｏｏｋｉｅ＝”２１９０”」は後述のプログラム例２の場合である。）。
【００４４】
コンテンツ情報送信部３ｃは、コンテンツ情報変換部３ｂにより変換されメモリ３２に記録されたコンテンツ情報を、通信網インターフェース３３及びインターネットＬを介して利用者端末２に送信する機能手段であって、ＣＰＵ３１及び本発明プログラムが記録されたメモリ３２及び通信網インターフェース３３により機能構成される。
【００４５】
ブラウザ情報収集部３ｄは、利用者端末２（情報収集要求部２ａ）により行われインターネットＬ及び通信網インターフェース３３を介して受信する要求に基づいて、インターネット放送装置１のブラウザ情報生成部１ｂからブラウザ情報をインターネットＬ及び通信網インターフェース３３を介して収集する。
【００４６】
収集したブラウザ情報を利用者端末２のＩＰアドレス及びインターネット放送装置１のＩＰアドレスと関連付けてメモリ３２により構成されるブラウザ情報ＤＢ（データベース）３ｅに保存する収集保存機能手段であって、ＣＰＵ３１、本発明プログラムが記録されたメモリ３２及び通信網インターフェース３３により機能構成される。
【００４７】
ブラウザ情報ＤＢ（データベース）３ｅは、ブラウザ情報収集部３ｄの収集保存機能手段の一部の機能手段であって、メモリ３２により機能構成される。
ここで、図４は、ブラウザ情報ＤＢ３ｅに保存される内容の一例をテーブルとして示したものであり、既に説明した様に、ブラウザ情報収集部３ｄにより収集したブラウザ情報を利用者端末２のＩＰアドレス及びインターネット放送装置１のＩＰアドレスと関連付けて記録される。
【００４８】
ブラウザ情報送信部３ｆは、要求を行った利用者端末２のＩＰアドレスと、要求に基づくインターネット放送装置（即ち、要求に基づいて情報変換サーバ３がコンテンツ情報及びブラウザ情報を収集するインターネット放送装置１）１のＩＰアドレスとが、ブラウザ情報収集部３ｄにてブラウザ情報ＤＢ３ｅに保存されたブラウザ情報と関連付けられているときに、要求に基づくインターネット放送装置１に、ブラウザ情報収集部３ｄにてブラウザ情報ＤＢ３ｅに保存されたブラウザ情報を通信網インターフェース３３及びインターネットＬを介して送信する送信機能手段であって、ＣＰＵ３１、本発明プログラムが記録されたメモリ３２及び通信網インターフェース３３により機能構成される。
【００４９】
（方法例１）
ここで、前述のプログラム例１（記録媒体例１）にて説明した本発明プログラムを、それぞれインターネット放送装置１、利用者端末２、情報変換サーバ３のそれぞれのメモリ１２、２２、３２に記録させて構成したコンテンツ利用システムの動作を説明することにより、本発明の一実施形態であるブラウザ情報収集配信方法を詳説する。
【００５０】
図５は、プログラム例１によるブラウザ情報収集配信方法のシーケンス図である。
そのブラウザ情報収集配信方法によると、基本的に、以下のＳＴ１−１乃至ＳＴ１−１０の各ステップを繰返し行う。
【００５１】
ＳＴ１−１（収集要求ステップ）として、利用者端末２の利用者が、表示手段２５にて出力されたコンテンツ情報に基づいて入力手段２４に情報を入力すると、情報収集要求部２ａにより、利用者によって入力された情報に基づいて、情報変換サーバ３がインターネット放送装置１からコンテンツ情報及びブラウザ情報を収集するように、情報変換サーバ３に要求を行う。
【００５２】
ＳＴ１−２（関連付け判断ステップ）として、ＳＴ１−１にてその要求を受けた情報変換サーバ３は、その要求（即ち、利用者端末２の情報収集要求部２ａにより行われた要求）に基づいて、その要求を行った利用者端末２のＩＰアドレスと、要求に基づくインターネット放送装置（前述と同様）１のＩＰアドレスとが、ブラウザ情報ＤＢ３ｅに保存されているブラウザ情報と関連付けられているか否かを、ブラウザ情報送信部３ｆにより判断する。
【００５３】
ＳＴ１−３（ブラウザ情報送信ステップ）として、ＳＴ１−２により関連付けられていると判断した（、即ち、ＳＴ１−２の判断がＹｅｓの）場合には、要求に基づくインターネット放送装置１に、ブラウザ情報ＤＢ３ｅに保存されているブラウザ情報を送信する。ここで、情報変換サーバ３（ブラウザ情報送信部３ｆ）によってブラウザ情報の送信を受けたインターネット放送装置１は、送信されたブラウザ情報に基づいたコンテンツ情報をコンテンツ情報表示部１ａにより表示すると共に、ブラウザ情報生成部１ｂにより新たなブラウザ情報を生成する。
【００５４】
ＳＴ１−４（コンテンツ情報収集ステップ）として、情報変換サーバ３は、コンテンツ情報収集部３ａでもって、利用者端末２の情報収集要求部２ａにてなされた要求に基づいて、インターネット放送装置１のコンテンツ情報表示部１ａからコンテンツ情報を収集する。
【００５５】
ＳＴ１−５（ブラウザ情報収集ステップ）として、情報変換サーバ３は、ブラウザ情報収集部３ｄでもって、利用者端末２の情報収集要求部２ａにてなされた要求に基づいて、インターネット放送装置１のブラウザ情報生成部１ｂから新たなブラウザ情報を収集する。
【００５６】
ＳＴ１−６（ブラウザ情報保存ステップ）として、情報変換サーバ３は、ＳＴ１−５にて収集したブラウザ情報を利用者端末２のＩＰアドレス及びインターネット放送装置１のＩＰアドレスと関連付けてブラウザ情報ＤＢ３ｅに保存する。ＳＴ１−７（コンテンツ情報変換ステップ）として、情報変換サーバ３は、ＳＴ１−４により収集したコンテンツ情報を、コンテンツ情報変換部３ｂでもって、利用者端末２に対応した形式に変換する。
【００５７】
この変換につき詳説すると、この場合、即ち、利用者端末２がインターネット放送装置１のコンテンツを視聴しようと情報変換サーバ３のメニューにアクセスしてきた際に、利用者が希望するインターネット放送装置１へアクセスした折りに、．ｍｐ３などの拡張子、＜Ａ　ＨＲＥＦ＞などのＨＴＭＬタグを利用して、ＨＴＭＬからＣＭＤＬへとメニューを書き換える。
【００５８】
例えば、＜ＡＨＲＥＦ＝”ｈｔｔｐ：／／ｗｗｗ．ａａａ．ｎｅ．ｊｐ／ｒａｄｉｏ／ｃｏｎｔｅｎｔｓ１．ｍｐ３”＞コンテンツ１＜／Ａ＞とＨＴＭＬにて記述されている場合には、＜ＩＴＥＭ　ＳＲＣ＝”ｈｔｔｐ：／／ｗｗｗ．ａａａ．ｎｅ．ｊｐ／ｒａｄｉｏ／ｃｏｎｔｅｎｔｓ１．ｍｐ３”＞＜ＴＩＴＬＥ＞コンテンツ１＜／ＴＩＴＬＥ＞＜／ＩＴＥＭ＞と書き換える（図３参照）。なお、ＨＴＭＬのレイアウトは、各インターネット放送装置１によって異なるものであるので、この変換は自動に行っても、手動に行っても構わない。
【００５９】
ＳＴ１−８（コンテンツ情報送信ステップ）として、情報変換サーバ３は、コンテンツ情報送信部３ｃでもって、コンテンツ情報変換部３ｂにより変換されたコンテンツ情報を利用者端末２に送信する。
ＳＴ１−９（コンテンツ情報受信ステップ）として、利用者端末２は、情報収集要求部２ａにより要求を行った情報変換サーバ３のコンテンツ情報送信部３ｃでもって送信されたコンテンツ情報をコンテンツ情報受信部２ｂによりで受信する。
【００６０】
ＳＴ１−１０（コンテンツ情報出力ステップ）として、コンテンツ情報出力部２ｃにより、コンテンツ情報受信部２ｂにより受信したコンテンツ情報を出力する。
以上のＳＴ１−１乃至１−１０の各ステップを、利用者端末２の利用者がコンテンツ情報出力部２ｃにより出力されたコンテンツ情報に基づいて情報収集要求部２ａに要求を行わせる毎に、繰返し行うことになる。
【００６１】
ここで、ＳＴ１−２の判断において、Ｎｏの判断、（即ち、情報変換サーバ３のブラウザ情報送信部３ｆが、要求を行った利用者端末２のＩＰアドレスと、要求に基づくインターネット放送装置１のＩＰアドレスとがブラウザ情報ＤＢ３ｅに保存されているブラウザ情報と関連付けられていないと判断したとき）の場合は以下のようになる。
【００６２】
かかる場合には、利用者端末２の情報収集要求部２ａによっで情報変換サーバ３に要求が行われたとしても、情報変換サーバ３（ブラウザ情報送信部３ｆ）は、要求に基づくインターネット放送装置１にブラウザ情報を送信できない。
【００６３】
従って、インターネット放送装置１は、情報変換サーバ３のブラウザ情報送信部３ｆによってブラウザ情報が送信されないので、ブラウザ情報に基づかない所定のコンテンツ情報をコンテンツ情報表示部１ａで表示し、ブラウザ情報生成部１ｂでブラウザ情報を生成する（以上が、ＳＴ１−２でＹｅｓの場合のＳＴ１−３に対応）。
【００６４】
そして、情報変換サーバ３は、既に説明した様、コンテンツ情報収集部３ａでもって、利用者端末２の情報収集要求部２ａで行われた要求に基づいて、インターネット放送装置１のコンテンツ情報表示部３ａからコンテンツ情報を収集する（ＳＴ１−２でＹｅｓの場合のＳＴ１−４に対応）と共に、ブラウザ情報収集部３ｄでもって、利用者端末２の情報収集要求部２ａで行われた要求に基づいて、インターネット放送装置１のブラウザ情報生成部１ｂからブラウザ情報を収集する（ＳＴ１−２でＹｅｓの場合のＳＴ１−５に対応）。
【００６５】
収集したブラウザ情報を利用者端末２のＩＰアドレス及びインターネット放送装置１のＩＰアドレスと関連付けてブラウザ情報ＤＢ３ｅに保存する（ＳＴ１−２でＹｅｓの場合のＳＴ１−６に対応）。
【００６６】
また、情報変換サーバ３のコンテンツ情報変換部３ｂ及びコンテンツ情報送信部３ｃ並びに利用者端末２のコンテンツ情報受信部２ｂ及びコンテンツ情報出力部２ｃは、情報変換サーバ３（ブラウザ情報送信部３ｆ）が、要求を行った利用者端末２のＩＰアドレスと、要求に基づくインターネット放送装置１のＩＰアドレスとがブラウザ情報ＤＢ３ｅに保存されているブラウザ情報と関連付けられていると判断したときとほぼ同様に動作する（ＳＴ１−２でＹｅｓの場合のＳＴ１−７乃至ＳＴ１−１０に対応）。
【００６７】
かように、プログラム例１（記録媒体例１）、方法例１においては、情報変換サーバ３がインターネット放送装置１からブラウザ情報を収集し、利用者端末２及びインターネット放送装置１と関連付けて保存するので、インターネット放送装置１がコンテンツ情報を表示するためにブラウザ情報を必要とする場合には情報変換サーバ３がインターネット放送装置１にブラウザ情報を送信することができ、利用者端末２がインターネット放送装置１からブラウザ情報を収集することができない場合であっても、利用者端末２にコンテンツを出力させることができる。
【００６８】
（プログラム例２、記録媒体例２）
本発明プログラムにつきプログラム例２として、図１のメモリ１２、２２、３２に格納される（プログラム例１と異なった）プログラムにより、それそれ、インターネット放送装置１、利用者端末２、情報変換サーバ３の各内部構成要素と共に実現される機能を説明することにより、本発明の一実施形態であるブラウザ情報収集配信プログラムを詳説する。
【００６９】
図６は、図２と異なる、本発明の一実施形態であるブラウザ情報収集配信プログラムを格納することにより実現されるコンテンツ利用システムの機能ブロック図である。
図２との相違点をここでは説明して、同一又はほぼ同様な機能手段については、同一符号を付して、説明を省略する。
【００７０】
情報変換サーバ３における相違点としては、ブラウザ情報ＤＢ３ｅ、ブラウザ情報送信部３ｆを機能構成されておらず、図２と一部異なるブラウザ情報収集部３ｇ、即ち、利用者端末２（情報収集要求部２ａ）で行われインターネットＬ及び通信網インターフェース３３を介して受信する要求に基づいて、インターネット放送装置１のブラウザ情報生成部１ｂからブラウザ情報をインターネットＬ及び通信網インターフェース３３を介して収集する機能手段を、ＣＰＵ３１、本発明プログラムが記録されたメモリ３２及び通信網インターフェース３３により機能構成している。
【００７１】
それに伴い、コンテンツ情報送信部３ｃは、ブラウザ情報収集部３ｇにより収集されたブラウザ情報を、（コンテンツ情報変換部３ｂで変換されたコンテンツ情報に付加して、）通信網インターフェース３３及びインターネットＬを介して利用者端末２に送信する機能手段であり、ＣＰＵ３１、本発明プログラムが記録されたメモリ３２及び通信網インターフェース３３により機能構成される。
これら、ブラウザ情報収集部３ｇ及びコンテンツ情報送信部３ｃは、収集送信手段を構成していることになる。
【００７２】
利用者端末２における相違点としては、第一に、ブラウザ情報受信部２ｅ、即ち、情報収集要求部２ａにて要求を行った情報変換サーバ３（コンテンツ情報送信部３ｃ）にて（コンテンツ情報に付加されて）送信されるブラウザ情報をインターネットＬ及び通信網インターフェース２３を介して受信する。
【００７３】
受信したブラウザ情報をインターネット放送装置１のＩＰアドレスと関連付けてメモリ２２から構成されるブラウザ情報ＤＢ２ｄに保存する受信保存手段として機能手段を、ＣＰＵ２１、本発明プログラムが記録されたメモリ２２及び通信網インターフェース２３により機能構成している。
第二に、ブラウザ情報ＤＢ２ｄを、メモリ２２により機能構成している。
【００７４】
第三に、ブラウザ情報送信部２ｆ、即ち、利用者端末からの要求に基づくインターネット放送装置１のＩＰアドレスがブラウザ情報受信部２ｅでもってブラウザ情報ＤＢ２ｄに保存されたブラウザ情報と関連付けられている場合は、情報変換サーバ３を介在させず直接その要求先のインターネット放送装置１に、ブラウザ情報受信部２ｅでもってブラウザ情報ＤＢ２ｅに保存されたブラウザ情報を通信網インターフェース２３及びインターネットＬを介して送信する機能手段を、ＣＰＵ２１、本発明プログラムが記録されたメモリ２２及び通信網インターフェース２３により機能構成している。
【００７５】
（方法例２）
ここで、このプログラム例２（記録媒体例２）にて説明した本発明プログラムを、それぞれインターネット放送装置１、利用者端末２、情報変換サーバ３のそれぞれのメモリ１２、２２、３２に記録させて構成したコンテンツ利用システムの動作を説明することにより、本発明の一実施形態であるブラウザ情報収集配信方法を詳説する。
【００７６】
図７は、プログラム例２によるブラウザ情報収集配信方法のシーケンス図である。
そのブラウザ情報収集配信方法によると、基本的に、以下のＳＴ２−１乃至ＳＴ２−１１のステップを行う。
【００７７】
ＳＴ２−１（収集要求ステップ）として、利用者端末２の利用者が、表示手段２５に出力されたコンテンツ情報に基づいて入力手段２４に情報を入力すると、情報収集要求部２ａでもって、利用者によって入力手段２４に入力された情報に基づいて、情報変換サーバ３がインターネット放送装置１からコンテンツ情報及びブラウザ情報を収集するよう、情報変換サーバ３に対して要求を行う。
【００７８】
ＳＴ２−２（コンテンツ情報収集ステップ）として、ＳＴ２−１によりコンテンツ情報の収集要求を受けた情報変換サーバ３は、コンテンツ情報収集部３ａでもって、利用者端末２（情報収集要求部２ａ）によりなされた要求に基づいて、インターネット放送装置１のコンテンツ情報表示部１ａに対して要求を行い、コンテンツ情報を収集する。
【００７９】
ＳＴ２−３（ブラウザ情報収集ステップ）として、ＳＴ２−１によりコンテンツ情報の収集要求を受けた情報変換サーバ３は、ブラウザ情報収集部３ｇでもって、利用者端末２（情報収集要求部２ａ）によりなされた要求に基づいて、インターネット放送装置１のブラウザ情報生成部１ｂに対して要求を行い、ブラウザ情報を収集する。
【００８０】
ＳＴ２−４（コンテンツ情報変換・ブラウザ情報付加ステップ）として、情報変換サーバ３は、コンテンツ情報変換部３ｂでもって、コンテンツ情報収集部３ａにて収集されたコンテンツ情報を利用者端末２に対応した形式に変換する。この際ＳＴ２−３により収集したブラウザ情報を、コンテンツ情報変換部３ｂがＨＴＭＬを変換して作成したメニューリストに、付け加える（図４参照。特に（ｂ）の５行の「ｃｏｏｋｉｅ＝”２１９０”」）。
【００８１】
ＳＴ２−５（コンテンツ情報送信ステップ）として、コンテンツ情報送信部３ｃでもって、コンテンツ情報変換部３ｂにより変換されブラウザ情報が付加されたコンテンツ情報を利用者端末２に送信する。
ＳＴ２−６（コンテンツ情報受信ステップ）として、利用者端末２は、情報収集要求部２ａで要求を行った情報変換サーバ３（コンテンツ情報送信部３ｃ）によってコンテンツ情報が送信されると、送信されたコンテンツ情報をコンテンツ情報受信部２ｂでもって受信する。
【００８２】
ＳＴ２−７（コンテンツ情報出力ステップ）として、ＳＴ２−６において受信したコンテンツ情報を、コンテンツ情報出力部２ｃでもって、表示手段２５、スピーカ２６の何れか又は双方により出力する。
ＳＴ２−８（ブラウザ情報受信ステップ）として、ＳＴ２−６において受信したコンテンツ情報からブラウザ情報を抜き出し、ブラウザ情報受信部２ｅでもって受信する。
【００８３】
ＳＴ２−９（ブラウザ情報保存ステップ）として、ＳＴ２−８においてブラウザ情報受信部２ｅでもって受信したブラウザ情報を、インターネット放送装置１のＩＰアドレスと関連付けてブラウザ情報ＤＢ２ｄに保存する。なお、この際保存されるブラウザ情報は、利用者端末２の電源が落ちるまでは保存されている。
【００８４】
ＳＴ２−１０（次のコンテンツの要求ステップ）として、ＳＴ２−９迄のステップを経たことにより、ブラウザ情報とコンテンツ情報を従えて、利用者端末２は、インターネット放送装置１へ直接コンテンツの要求を行う。即ち、ブラウザ情報送信部２ｆにより、その要求先のインターネット放送装置１のＩＰアドレスがブラウザ情報ＤＢ２ｄに保存されているブラウザ情報と関連付けられていることになるので、その要求先のインターネット放送装置１に、ブラウザ情報ＤＢ２ｄに保存されているブラウザ情報を送信する。
【００８５】
ＳＴ２−１１（コンテンツ情報受信ステップ）として、ＳＴ２−１０によりなされた要求に応じて、インターネット放送装置１から、（ＳＴ２−２などのコンテンツ情報と異なり）ブラウザ情報が考慮されたコンテンツ情報を直接受信して出力し、利用者端末２は、インターネット放送装置１へ直接コンテンツの要求を行うこと（ＳＴ２−１０）を繰返すことになる。
【００８６】
かように、プログラム例２（記録媒体例２）、方法例２においては、利用者端末２は、従来のＨＴＭＬブラウザ（Ｉｎｔｅｒｎｅｔ　Ｅｘｐｌｏｒｅｒ，Ｎｅｔｓｃａｐｅなど）を搭載していない端末において、ブラウザ情報が必要となるコンテンツを視聴しようとした場合には、ブラウザ情報を引き出せず、結果としてコンテンツの視聴ができないかったところ、プログラム例２（記録媒体例２）、方法例２により、情報変換サーバ３が目的のインターネット放送装置１へ接続し、コンテンツ情報収集部３ａにより従来通りブラウザ情報を取得する。
【００８７】
この取得したブラウザ情報を利用者端末２に送信するメニューに記載する（図３（ｂ）参照）ことにより、ブラウザ情報を取得できない端末に対してもブラウザ情報を送信することができるようになる。そして、利用者端末２は、ブラウザ情報受信部２ｅにより受信したメニューからブラウザ情報を抜取り、内部のブラウザ情報ＤＢ２ｄに保存し、利用者端末２は、ブラウザ情報をＨＴＴＰヘッダとしてインターネット放送装置１に送信することにより、直接インターネット放送装置１から目的のコンテンツの再生を開始できる。
【００８８】
即ち、プログラム例１（記録媒体例１）、方法例１とは異なり、一度ブラウザ情報を取得した利用者端末２は、情報変換サーバ３を介することなく、ブラウザ情報を必要とするインターネット放送装置１のコンテンツを視聴できるようになる。
【００８９】
以上、本発明の一実施形態として、プログラム例（記録媒体例）及び方法例を説明したが、本発明の目的を達し、下記する効果を奏する範囲において、適宜変更して実施可能である。
【００９０】
【発明の効果】
以上説明したように、本発明によれば、利用者端末が情報表示装置からブラウザ情報を収集することができない場合であっても、利用者端末にコンテンツを出力させることができ、更には、ブラウザ情報をコンテンツ情報としてメニューの中に組み込むことにより、ブラウザ情報をサーバ（情報変換サーバ）にて保存する必要もなく、しかも、利用者端末側においてもブラウザ情報を管理するための特殊なデータベースが不要となるので、サーバ・利用者端末側の機器における負荷の軽減になるなど、優れた効果を発揮することになる。
【図面の簡単な説明】
【図１】本発明の一実施形態であるブラウザ情報収集配信プログラムを格納するコンテンツ利用システムのブロック図である。
【図２】本発明の一実施形態であるブラウザ情報収集配信プログラムを、図１のコンテンツ利用システムの各メモリを記録した場合に、その内部構成要素と共に実現される機能ブロック構成図である。
【図３】コンテンツ情報変換部により実現されるコンテンツ情報の、（ａ）は変換前、（ｂ）は変換後の一例である。
【図４】図２のブラウザ情報ＤＢに格納される内容を示したテーブルである。
【図５】図２における機能ブロック構成で実現されるシーケンス図である。
【図６】本発明の一実施形態であるブラウザ情報収集配信プログラムを、図１のコンテンツ利用システムの各メモリを記録した場合に、その内部構成要素と共に実現される、図２とは別の機能ブロック構成図である。
【図７】図６おける機能ブロック構成で実現されるシーケンス図である。
【符号の説明】
１…インターネット放送装置
２…利用者端末
３…情報変換サーバ
１１、２１、３１…ＣＰＵ
１２、２２、３２…メモリ
１３、２３、３３…通信網インターフェース
１４、２７、３４…バス
２４…入力手段
２５…表示手段
２６…スピーカ
１ａ…コンテンツ情報表示部
１ｂ…ブラウザ情報生成部
２ａ…情報収集要求部
２ｂ…コンテンツ情報受信部
２ｃ…コンテンツ情報出力部
２ｄ…ブラウザ情報受信部
２ｅ…ブラウザ情報ＤＢ
２ｆ…ブラウザ情報送信部
３ａ…コンテンツ情報収集部
３ｂ…コンテンツ情報変換部
３ｃ…コンテンツ情報送信部
３ｄ、３ｇ…ブラウザ情報収集部
３ｅ…ブラウザ情報ＤＢ
３ｆ…ブラウザ情報送信部
Ｌ…インターネット
【図１】
2004078700.tif 000003
【図２】
2004078700.tif 000004
【図３】
2004078700.tif 000005
【図４】
2004078700.tif 000006
【図５】
2004078700.tif 000007
【図６】
2004078700.tif 000008
【図７】
2004078700.tif 000009